(57)【要約】【課題】陳列棚自体の改変作業に多くを要することなく、陳列スペースの広狭あるいは陳列タバコ銘柄の増減に柔軟に対応できるタバコ陳列システムケースを得る。【解決手段】載置面に置かれるベースと；このベース上に任意数積み重ねられる骨格トレイと；この骨格トレイの左右に可動に支持された引出トレイと；最上段の骨格トレイ上に結合される天板ユニットと；を有し、上記骨格トレイは、底板と、該底板の左右に固定された側板と、上下の骨格トレイ、上記ベース及び天板に結合可能な上下結合部を備え、上記左右の引出トレイは、骨格トレイの底板に対して摺動可能な摺動底板と、この摺動底板の一端部に固定され、骨格トレイの一方の側板に対して接離移動する移動側板とを備え、上記骨格トレイの底板と左右側板の間、及び骨格トレイから引き出された引出トレイの移動側板と骨格トレイの側板との間には、タバコを縦列に収納する同一のパックトレイが収納可能であるタバコ陳列システムケース。【選択図】図１
2014079422.tif 000002
【特許請求の範囲】
【請求項１】
載置面に置かれるベースと；
このベース上に任意数積み重ねられる骨格トレイと；
この骨格トレイの左右に可動に支持された引出トレイと；
最上段の骨格トレイ上に結合される天板ユニットと；
を有し、
上記骨格トレイは、底板と、該底板の左右に固定された側板と、上下の骨格トレイ、上記ベース及び天板に結合可能な上下結合部を備え、
上記左右の引出トレイは、骨格トレイの底板に対して摺動可能な摺動底板と、この摺動底板の一端部に固定され、骨格トレイの一方の側板に対して接離移動する移動側板とを備え、
上記骨格トレイの底板と左右側板の間、及び骨格トレイから引き出された引出トレイの移動側板と骨格トレイの側板との間には、タバコを縦列に収納する同一のパックトレイが収納可能であることを特徴とするタバコ陳列システムケース。
【請求項２】
請求項１記載のタバコ陳列システムケースにおいて、
骨格トレイの底板と左右側板の間には３個ないし５個のパックトレイが収納可能であり、骨格トレイから引き出された引出トレイの移動側板と骨格トレイの側板との間には１個または２個のパックトレイが収納可能であるタバコ陳列システムケース。
【請求項３】
請求項１または２記載のタバコ陳列システムケースにおいて、
上記ベースは、走行方向を左右方向のみとしたキャスタと、該キャスタの転動をロックするロック機構とを備えており、該ロック機構は、上記ベースの前面に操作部が突出する操作バーを備えているタバコ陳列システムケース。
【請求項４】
請求項３記載のタバコ陳列システムケースにおいて、
上記ベースは、骨格トレイの前方開口部に向けて盗難防止レーザ光を発する盗難防止センサを備えているタバコ陳列システムケース。
【請求項５】
請求項４記載のタバコ陳列システムケースにおいて、
上記ベースには、引出トレイを引き出したときに上記ベースに装着される、該引出トレイの前方開口部に向けて盗難防止レーザ光を発する盗難防止センサを備えた補助ベースが着脱可能であるタバコ陳列システムケース。
【請求項６】
請求項１ないし５のいずれか１項記載のタバコ陳列システムケースにおいて、
上記ベースは、耐振ジェルを有する高さアジャスタを備えているタバコ陳列システムケース。
【請求項７】
請求項１ないし６のいずれか１項記載のタバコ陳列システムケースにおいて、
上記天板ユニットは、最上段の骨格トレイの左右側板に結合される固定天板と、この固定天板に左右に引出可能に設けた引出天板とを備えているタバコ陳列システムケース。
【請求項８】
請求項７記載のタバコ陳列システムケースにおいて、
上記天板の上には、該天板に対して左右方向に相対摺動可能なストッカーが載置可能であるタバコ陳列システムケース。
【発明の詳細な説明】
【技術分野】
【０００１】
本発明は、店舗に設置するタバコ陳列システムケースに関する。
【背景技術】
【０００２】
例えばコンビニ店では、レジの近くにタバコを陳列することが多いが、陳列スペースは店（環境）によって区々である。また、タバコ特有の陳列上の問題点として、陳列するタバコの銘柄の入れ替えや陳列場所の変更（陳列態様の変更）を頻繁に行う点が挙げられる。
【先行技術文献】
【特許文献】
【０００３】
【特許文献１】特開２００５-２１１５５４号公報
【特許文献２】特開２００８-８００５５号公報
【特許文献３】特開２００９-１０６５３６号公報
【発明の概要】
【発明が解決しようとする課題】
【０００４】
しかし従来のタバコ陳列ケースは、陳列スペースの広狭の変化あるいは陳列タバコ銘柄の増減に対する柔軟性が低い。従来品では、陳列スペースの広狭あるいは陳列タバコ銘柄の増減に対応するには、陳列棚自体を大幅に改変しなければならず、煩雑な作業であった。
【０００５】
従って本発明は、陳列棚自体の改変作業に多くを要することなく、陳列スペースの広狭あるいは陳列タバコ銘柄の増減に柔軟に対応できるタバコ陳列システムケースを得ることを目的とする。
【課題を解決するための手段】
【０００６】
本発明によるタバコ陳列システムケースは、載置面に置かれるベースと；このベース上に任意数積み重ねられる骨格トレイと；この骨格トレイの左右に可動に支持された引出トレイと；最上段の骨格トレイ上に結合される天板ユニットと；を有し、上記骨格トレイは、底板と、該底板の左右に固定された側板と、上下の骨格トレイ、上記ベース及び天板に結合可能な上下結合部を備え、上記左右の引出トレイは、骨格トレイの底板に対して摺動可能な摺動底板と、この摺動底板の一端部に固定され、骨格トレイの一方の側板に対して接離移動する移動側板とを備え、上記骨格トレイの底板と左右側板の間、及び骨格トレイから引き出された引出トレイの移動側板と骨格トレイの側板との間には、タバコを縦列に収納する同一のパックトレイが収納可能であることを特徴としている。
【０００７】
骨格トレイの底板と左右側板の間に３個ないし５個のパックトレイを収納可能とし、骨格トレイから引き出された引出トレイの移動側板と骨格トレイの側板との間に１個または２個のパックトレイを収納可能とすることができる。
【０００８】
上記ベースは、走行方向を左右方向のみとしたキャスタと、該キャスタの転動をロックするロック機構とを備え、該ロック機構は、上記ベースの前面に操作部が突出する操作バーを備えることができる。
【０００９】
上記ベースは、骨格トレイの前方開口部に向けて盗難防止レーザ光を発する盗難防止センサを備えることができる。
【００１０】
上記ベースには、引出トレイを引き出したときに上記ベースに装着される、該引出トレイの前方開口部に向けて盗難防止レーザ光を発する盗難防止センサを備えた補助ベースを着脱可能とすることができる。
【００１１】
上記ベースは、耐振ジェルを有する高さアジャスタを備えることができる。
【００１２】
上記天板ユニットは、最上段の骨格トレイの左右側板に結合される固定天板と、この固定天板に左右に引出可能に設けた引出天板とを備えることができる。
【００１３】
上記天板の上には、該天板に対して左右方向に相対摺動可能なストッカーを載置可能とすることができる。
【発明の効果】
【００１４】
本発明のタバコ陳列システムケースは、ベース上に任意数の骨格トレイを重ねることで、陳列棚の高さを含む基本骨格を定めることができ、左右方向の陳列スペースの広狭には、骨格トレイの左右の一方または双方の引出トレイを引き出すか否かで対応できる。このため、タバコを収納するパックトレイの陳列数を変更するとき、棚構造の大きな改変を要することなく、迅速に対応することができる。
【図面の簡単な説明】
【００１５】
【図１】本発明によるタバコ陳列システムケースの一実施形態の使用状態を示すもので、（Ａ）はパックトレイ５個分の幅を有する骨格トレイの引出トレイ収納状態、（Ｂ）は同骨格トレイから左右一方の引出トレイを引き出した状態の使用状態の斜視図である。
【図２】同一実施形態の一段分の骨格トレイと引出トレイの斜視図であって、（Ａ）は引出トレイを収納した骨格トレイの使用状態、（Ｂ）は同骨格トレイから左右の引出トレイを引き出した状態の斜視図である。
【図３】（Ａ）、（Ｂ）は、図２の（Ａ）、（Ｂ）の骨格トレイと引出トレイにパックトレイをセットした状態を示す斜視図である。
【図４】（Ａ）、（Ｂ）は、ベースの斜視図と背面斜視図である。
【図５】（Ａ）、（Ｂ）は、天板ユニットの引出天板を収納した状態と引き出した状態の斜視図である。
【図６】（Ａ）、（Ｂ）は、図５の実施形態の天板ユニット上に支持するストッカーの開閉蓋を閉じた状態と開いた状態の斜視図である。
【図７】（Ａ）、（Ｂ）、（Ｃ）は、ストッカーを用いた異なるタバコ陳列状態を示す斜視図である。
【図８】本発明によるタバコ陳列システムケースの別の実施形態の使用状態を示す斜視図である。
【図９】（Ａ）、（Ｂ）は、図８の実施形態のベースの斜視図と、背面斜視図である。
【図１０】（Ａ）、（Ｂ）は、図８の実施形態の天板ユニットの引出天板を収納した状態と引き出した状態の斜視図である。
【図１１】（Ａ）、（Ｂ）、（Ｃ）は、ロック機構を備えた左右走行キャスタの平面図、左側面図、及び正面図である。
【図１２】同ロック機構を備えた左右走行キャスタの分解斜視図である。
【発明を実施するための形態】
【００１６】
図１ないし図５並びに図１１及び図１２は、本発明によるタバコ陳列システムケース１００の第一の実施形態を示している。以下の説明中の上下方向、左右方向、前後方向は、図中に示した矢印方向を意味する。本実施形態のタバコ陳列システムケース１００は、最下端のベース１０と、このベース１０上に任意数上下方向に結合した骨格トレイ２０と、各骨格トレイ２０の左右に収納及び引出可能に予め結合されている引出トレイ３０と、最上部の骨格トレイ２０の上に結合した天板ユニット４０とからなっている。
【００１７】
ベース１０は、図４に示すように、上部を載置平面１１とした金属製または合成樹脂製の平面矩形の扁平な台であり、下部に４つの左右走行キャスタ１２と、下部前方に耐振ジェルを有する２つの高さアジャスタ１３を備えている。左右走行キャスタ１２は、走行方向を左右方向のみに規制した（車輪１２ａの回転軸１２ｂを前後方向に向けた）もので、ベース１０の前面には、前後一対の左右走行キャスタ１２の回動をロックする操作バー１４の操作部１４ａが露出している。操作バー１４は、ベース１０の下面に前後方向に延びており、操作部１４ａを介して押し込むと、その係合凹部１４ｂが左右走行キャスタ１２のロックレバー１２ｃをロック方向に回動させて車輪１２ａの回転を禁止し、引き出すと係合凹部１４ｂがロックレバー１２ｃをアンロック方向に回動させて車輪１２ａの回転を許す。ベース１０の載置平面１１の左右には、上下結合突起（上下結合部）１５が突出形成されている。
【００１８】
図１１及び図１２を参照して、左右走行キャスタ１２のロック機構の構造及び動作原理についてより詳細に説明する。ハウジング１２ｄと一体の回転軸１２ｂに回転自在に支持された車輪１２ａは、左右一対が備えられていて、その中間に小径のブレーキ部１２ａ’が形成されている。ハウジング１２ｄには、車輪１２ａの回転軸１２ｂと平行な軸１２ｅを中心にシーソーバー１２ｆが枢着されていて、このシーソーバー１２ｆの一端部に、ブレーキ部１２ａ’と係脱するブレーキ部１２ｆ’が形成されている。このシーソーバー１２ｆは、ハウジング１２ｄに支持された圧縮コイルばね１２ｇにより、そのブレーキ部１２ｆ’がブレーキ部１２ａ’と係合する方向に回動付勢されている。シーソーバー１２ｆは圧縮コイルばね１２ｇ以外の力が加わらない状態では、ブレーキ部１２ｆ’をブレーキ部１２ａ’に係合させてロックする。一方、ハウジング１２ｄには、シーソーバー１２ｆの他端部と係合する軸線を圧縮コイルばね１２ｇと平行とした運動伝達ピン１２ｈが移動可能に支持されていて、この運動伝達ピン１２ｈは、その一端部がシーソーバー１２ｆの他端部に係合している。ロックレバー１２ｃは、ハウジング１２ｄに軸１２ｊで揺動可能に支持されていて、その一端部に操作バー１４の係合凹部１４ｂと係合する操作突起１２ｋを有し、他端部に、運動伝達ピン１２ｈの他端部上に延びる操作腕１２ｍを有している。操作腕１２ｍには、ロックレバー１２ｃ（操作突起１２ｋ）をロック方向に揺動させたとき、運動伝達ピン１２ｈから離間し、アンロック（フリー）方向に揺動させたとき運動伝達ピン１２ｈを押圧するロック解除カム１２ｎが形成されている。
【００１９】
合成樹脂材料からなる骨格トレイ２０は、底板２１と、この底板２１の左右端部に立ち上げた左右の側板２２を有し、側板２２の上下には、その板厚内に、前後一対の上下結合突起（上下結合部）２３と上下結合凹部（上下結合部）２４（図３（Ａ））が形成されている。重ねられた骨格トレイ２０の上下結合突起２３と上下結合凹部２４は互いに係合して前後左右方向の位置が定められる。ベース１０の上下結合突起１５は、最下段の骨格トレイ２０の上下結合凹部２４に係合する。この実施形態では、左右の側板２２の間隔は、５個のパックトレイ６０を並べることができる間隔に設定されている。
【００２０】
骨格トレイ２０の左右には、収納及び引出可能に予め合成樹脂製の引出トレイ３０が結合されている。左右の引出トレイ３０は、対称形状であって、骨格トレイ２０の底板２１に摺動可能にかつ引出位置を規制して支持された摺動底板３１（図２）と、この摺動底板３１の外側端部に一体に設けた、骨格トレイ２０の側板２２の外側にあって該側板２２に対して接離する移動側板３２（同）とを備えている。移動側板３２は、側板２２に対して密着する収納位置（図１（Ａ）、図２（Ａ）、図３（Ａ））と、側板２２に対して離間し、側板２２との間に１つのパックトレイ６０を収納することができる引出位置（図１（Ｂ）、図２（Ｂ）、図３（Ｂ））との間を移動できる。引出トレイ３０は、重ねられる骨格トレイ２０の重量を担うものではなく、この引出トレイ３０の移動は、各骨格トレイ２０についてその左右で独立してできる。
【００２１】
パックトレイ６０は、合成樹脂材料の成形品からなるもので、タバコを個別に縦列に収納する形状に形成されている。パックトレイ６０の具体的構造は問わない。図示例のパックトレイ６０は、前後方向に長い縦長の上方開放ケース６１内に位置させた押圧板６２を図示しない弾性部材により前方に移動付勢した構造である。前方のタバコが除かれると、後方のタバコが押圧板６２によって前方に押し出される。
【００２２】
合成樹脂製の天板ユニット４０は、図５に示すように、骨格トレイ２０の平面形状に対応した平面形状の固定天板４１と、この固定天板４１に左右に引出可能に設けた引出天板４２とを備えている。すなわち、左右の引出天板４２には、左右方向に長い一対の長孔４３が形成されており、この長孔４３内に挿入した抜止ガイドねじ４４が固定天板４１に螺合固定されている。固定天板４１には、骨格トレイ２０の上下結合突起２３に係合する上下係合凹部（上下結合部、図示せず）が形成されていて、天板ユニット４０が、最上段の骨格トレイ２０の左右側板２２に結合される。
【００２３】
上記構成の各タバコ陳列システムケース１００は、載置面（例えばコンビニ店のカウンターテーブルや床面）上において、ベース１０上に必要数の引出トレイ３０を有する骨格トレイ２０を重ね、最上段の骨格トレイ２０上に天板ユニット４０を載置した状態を基本組立状態とする。このタバコ陳列システムケース１００を、操作バー１４による左右走行キャスタ１２のロックを解除し、高さアジャスタ１３を載置面から離した状態で所定位置に移動させる。そして、位置設定が完了したら、操作バー１４により左右走行キャスタ１２をロックし、高さアジャスタ１３を載置面に接触させる。高さアジャスタ１３は耐振ジェルを有する周知のもので、載置面に接触させることにより、ベース１０から、その上の骨格トレイ２０、引出トレイ３０及び天板ユニット４０に伝わる地震動を減衰し、タバコ陳列システムケース１００の地震耐性を向上させる。
【００２４】
そして、設置環境に応じ、陳列タバコの銘柄数を増やしたいときには、各骨格トレイ２０の左右の引出トレイ３０を必要に応じて引き出す。この引出トレイ３０の引出作業は、各段の骨格トレイ２０において、左右独立して行うことができる。図１（Ｂ）は、下方３段の骨格トレイ２０については右方の引出トレイ３０を引き出し、上方３段の骨格トレイ２０については左方の引出トレイ３０を引き出した状態を描いている。
【００２５】
天板ユニット４０上には、オプションで、図６、図７に示すストッカー５０を載置することができる。このストッカー５０は、主に補充商品の保管庫として用いるもので、前方を開口部５１とした箱体５２からなり、開口部５１の上縁に蝶番５３で開閉蓋５４を枢着している。開閉蓋５４の自由端部には把手５５及び操作棒５６が取り付けられている。このストッカー５０には、前後の下端部に、左右方向に延びる脱落防止フランジ（相対摺動許容フランジ）５７、５８が設けられており、この脱落防止フランジ５７、５８が、天板ユニット４０の固定天板４１の前後端部に係合する。ストッカー５０は、天板ユニット４０に対して固定されておらず、脱落防止フランジ５７、５８によって左右方向に相対摺動可能である。このように、天板ユニット４０に対してストッカー５０を固定しないことにより、骨格トレイ２０と引出トレイ３０の組み替えを比較的自由に行うことができる。
【００２６】
図７（Ａ）、（Ｂ）、（Ｃ）は、５台のタバコ陳列システムケース１００を用いた異なる陳列態様の例を示している。図６のストッカー５０は、引出トレイ３０を収納した状態の２台のタバコ陳列システムケース１００の左右長さに対応する左右長さに形成されているが、図７には、１台のタバコ陳列システムケース１００の左右長さに対応する左右長さの小型のストッカー５０Ｓも含まれている。図７（Ａ）は、全ての引出トレイ３０を収納した状態の５台のタバコ陳列システムケース１００を並べた態様、（Ｂ）は全ての引出トレイ３０を引き出した５台のタバコ陳列システムケース１００を並べた態様、（Ｃ）は全ての引出トレイ３０を収納した５台のタバコ陳列システムケース１００を、３台と２台にグループ分けした（分離した）態様である。
【００２７】
図８ないし図１０は、本発明によるタバコ陳列システムケース１００の別の実施形態を示している。この実施形態は、
１）骨格トレイ２０として、左右の側板２２の間隔をパックトレイ６０を３個並列に並べることができる狭間隔とした骨格トレイ２０Ｓを用いた点、
２）ベース１０を、図９に示すように、狭間隔骨格トレイ２０Ｓの下方に位置する基本ベース１０Ｂと、狭間隔骨格トレイ２０Ｓの引出トレイ３０を引き出したときに、該基本ベース１０Ｂの左右に選択的に装着される補助ベース１０Ｓから構成した点、
３）基本ベース１０Ｂと補助ベース１０Ｓはそれぞれ、狭間隔骨格トレイ２０Ｓの前方開口部に向けて盗難防止レーザ光を発する盗難防止センサ１７を備えている点、及び
４）天板ユニット４０Ａの形態（形状）を変更し、図１０に示すように、固定天板４１を、左右縦壁４１ａ、後部縦壁４１ｂ、前部ＬＣＤ支持壁４１ｃ、左右分割壁４１ｄ及び引出天板４２用のガイドレール４１ｅを有する枠形状とする一方、引出天板４２には、ガイドレール４１ｅに係合するレール４２ａと、左右縦壁４１ａに対して接離する縦壁４２ｂと、左右分割壁４１ｄに接離する底壁４２ｃとを形成した点、
が第一の実施形態と異なる。
【００２８】
図８ないし図９の実施形態では、左右走行キャスタ１２、高さアジャスタ１３及び操作バー１４は、基本ベース１０Ｂに備えられている。但し、操作バー１４の操作部１４ａ’は、基本ベース１０Ｂの背面に突出している（図９（Ｂ））。固定天板４１の前部ＬＣＤ支持壁４１ｃには、商品等表示をするＬＣＤ４５（図８）が取り付けられる。盗難防止センサ１７は、狭間隔骨格トレイ２０Ｓ（引出トレイ３０）の前方開口部に向けて発せられる盗難防止レーザ光が遮られると、警報を発する周知デバイスである。
【００２９】
以上の実施形態では、引出トレイ３０を引き出したとき、その移動側板３２と、骨格トレイ２０の側板２２の間隔が１つのパックトレイ６０を収納できる間隔となるようにしている。これは、側板２２間に３つのパックトレイ６０を収納する狭間隔骨格トレイ２０Ｓ（図８）では、最も現実的（必須）であるが、側板２２間に５つ（またはそれ以上）のパックトレイ６０を収納する骨格トレイ２０（図１）では、移動側板３２と、骨格トレイ２０の側板２２の間隔に２つのパックトレイ６０を収納できるように引出トレイ３０の引出量を設定することも可能である。
【符号の説明】
【００３０】
１０  ベース
１０Ｂ  基本ベース
１０Ｓ  補助ベース
１１  載置平面
１２  左右走行キャスタ
１２ａ  車輪
１２ａ’  ブレーキ部
１２ｂ  回転軸
１２ｃ  ロックレバー
１２ｄ  ハウジング
１２ｅ  軸
１２ｆ  シーソーバー
１２ｆ’  ブレーキ部
１２ｇ  圧縮コイルばね
１２ｈ  運動伝達ピン
１２ｊ  軸
１２ｋ  操作突起
１２ｍ  操作腕
１２ｎ  ロック解除カム
１３  耐振ジェル付き高さアジャスタ
１４  操作バー
１４ａ  １４ａ’  操作部
１４ｂ  係合凹部
１５  上下結合突起
１７  盗難防止センサ
２０  骨格トレイ
２０Ｓ  狭間隔骨格トレイ
２１  底板
２２  側板
２３  上下結合突起（上下結合部）
２４  上下結合凹部（上下結合部）
３０  引出トレイ
３１  摺動底板
３２  移動側板
４０  ４０Ａ  天板ユニット
４１  固定天板
４１ａ  左右縦壁
４１ｂ  後部縦壁
４１ｃ  前部ＬＣＤ支持壁
４１ｄ  左右分割壁
４１ｅ  ガイドレール
４２  引出天板
４２ａ  レール
４２ｂ  縦壁
４２ｃ  底壁
４３  長孔
４４  抜止ガイドねじ
４５  ＬＣＤ
５０  ストッカー
５０Ｓ  小型ストッカー
５１  開口部
５２  箱体
５３  蝶番
５４  開閉蓋
５５  把手
５６  操作棒
６０  パックトレイ
６１  上方開放ケース
６２  押圧板
１００  タバコ陳列システムケース
【図１】
2014079422.tif 000003
【図２】
2014079422.tif 000004
【図３】
2014079422.tif 000005
【図４】
2014079422.tif 000006
【図５】
2014079422.tif 000007
【図６】
2014079422.tif 000008
【図７】
2014079422.tif 000009
【図８】
2014079422.tif 000010
【図９】
2014079422.tif 000011
【図１０】
2014079422.tif 000012
【図１１】
2014079422.tif 000013
【図１２】
2014079422.tif 000014